(57)【要約】【課題】使用者が初心者の場合にも、設定情報を所定の設定状態に戻すことを使用者に気付かせることが可能な表示装置を提供する。【解決手段】この表示装置（テレビジョン１）は、表示部４と、放送局から発信される放送信号を受信するチューナーユニット２と、チューナーユニット２が受信した放送信号に対応する映像、および、所定の設定画面を表示部４に表示するように表示部４を制御する制御部６と、表示部４に表示される設定画面の遷移履歴を記憶するＥＥＰＲＯＭ８とを備えている。また、制御部６は、設定画面の遷移履歴に基づいて、少なくとも表示部４における表示に関する設定情報を予め設定された工場出荷設定状態に戻すことを使用者に促す注意画面４０を表示部４に表示するように制御するように構成されている。【選択図】図４
2008288677.tif 000002
【特許請求の範囲】
【請求項１】
表示部と、
放送局から発信される放送信号を受信する受信部と、
前記受信部が受信した放送信号に対応する映像、および、少なくとも前記表示部における表示に関する設定情報を設定するための設定画面を前記表示部に表示するように前記表示部を制御する制御部と、
前記表示部に表示される前記設定画面の遷移履歴を記憶する記憶部とを備え、
前記制御部は、前記設定画面の遷移履歴に基づいて、前記設定情報を予め設定された所定の設定状態に戻すことを使用者に促す通知画面を前記表示部に表示するように制御するように構成されている、表示装置。
【請求項２】
前記設定情報の変更指示を使用者から受け付ける設定変更受付手段をさらに備え、
前記記憶部は、前記設定変更受付手段により受け付けた前記設定情報の変更履歴を記憶するように構成されており、
前記制御部は、前記設定情報の変更履歴に基づいて、前記通知画面を前記表示部に表示するように制御するように構成されている、請求項１に記載の表示装置。
【請求項３】
前記記憶部は、使用者による前記設定情報の変更の回数を記憶するように構成されており、
前記制御部は、前記設定情報の変更の回数が所定の第１閾値を超えた場合に、前記通知画面を前記表示部に表示するように制御するように構成されている、請求項２に記載の表示装置。
【請求項４】
前記記憶部は、使用者による前記設定情報の所定の時間当たりの変更の頻度を記憶するように構成されており、
前記制御部は、前記設定情報の変更の頻度が所定の第２閾値を超えた場合に、前記通知画面を前記表示部に表示するように制御するように構成されている、請求項２または３に記載の表示装置。
【請求項５】
前記通知画面は、使用者による前記設定情報の前記所定の設定状態への変更の指示を受け付ける変更ボタンを含み、
使用者が前記変更ボタンを選択した場合に、前記制御部は、前記設定情報を前記所定の設定状態に変更するように構成されている、請求項１〜４のいずれか１項に記載の表示装置。
【請求項６】
前記所定の設定状態は、初期設定状態を含む、請求項１〜５のいずれか１項に記載の表示装置。
【発明の詳細な説明】
【技術分野】
【０００１】
この発明は、表示装置に関し、特に、放送信号に対応する映像を表示部に表示する表示装置に関する。
【背景技術】
【０００２】
従来、放送信号に対応する映像を表示部に表示する表示装置が知られている（たとえば、特許文献１および２参照）。また、従来では、設定情報の変更指示を使用者から受け付ける設定変更受付手段を備えた映像出力装置が知られている（たとえば、特許文献３参照）。
【０００３】
上記特許文献１では、電源投入時に、メモリに書き込まれている設定データと、ＲＯＭに書き込まれている平均的な設定データとの比較が行われる。メモリの設定データとＲＯＭの平均的な設定データとが大きく異なる場合には、メモリの設定データが異常であると判断されるとともに、ＲＯＭの平均的な設定データにより装置の設定が行われる。これにより、メモリの設定データが放電などにより異常なデータとなっている場合、および、出荷時にメモリに設定データの書き込みを忘れている場合などに、メモリの設定データの異常に起因して装置が故障するのを抑制している。
【０００４】
また、上記特許文献２に記載の表示装置（デジタル／アナログ放送受信装置）は、初心者モードと上級者モードとの２つのモードを選択することが可能に構成されており、初心者モードが選択された場合には、各種設定データのうち、一部の設定データが変更できないように構成されている。
【０００５】
また、上記特許文献３に記載の映像出力装置は、映像表示装置と接続された状態で、映像表示装置に映像信号を出力することにより、映像表示装置に映像を表示させることが可能に構成されている。この映像出力装置では、映像出力装置に接続された映像表示装置に適合しない映像出力方式がユーザにより誤って設定された場合に、装置外部に設けられた映像出力方式初期化キーを使用者が操作することにより、映像出力方式を初期状態に容易に切り替えることが可能である。
【０００６】
また、上記のような表示装置および映像出力装置などの機器では、近年、多機能化が進んでおり、使用者が各種機能の設定を行うように構成されている。
【０００７】
【特許文献１】特開昭６１−１８３７０２号公報
【特許文献２】特開２００２−２４７４６４号公報
【特許文献３】特開２００６−６０７５０号公報
【発明の開示】
【発明が解決しようとする課題】
【０００８】
上記のような表示装置および映像出力装置などの機器では、多機能化に伴って、使用者が設定可能な設定項目も多くなっている。このため、使用者が設定項目の変更を何度も行った場合には、設定情報が複雑に入り組んでしまう。また、使用者が装置に不慣れな初心者の場合には、使用者が意図していない設定変更を行ってしまう場合がある。この場合には、使用者が望まない機能がＯＮとなるか、または、使用者が望む機能がＯＦＦになるなどの不都合がある。そして、変更した設定を自分で元に戻すのは使用者が初心者の場合、困難である。このような場合、設定情報を初期設定状態に戻すことにより上記不都合は解決することができる。しかしながら、初心者では、設定情報を初期設定状態に戻せばよいことに気付かない場合があるという問題点がある。
【０００９】
なお、上記特許文献１では、メモリに書き込まれている設定データが異常である場合に、ＲＯＭに記憶された設定データにより装置の設定を行う構成であるため、メモリに書き込まれている設定データが正常である場合には、ＲＯＭに記憶された設定データによる装置の設定は行われないと考えられる。この場合には、上記のように設定情報が複雑に入り組んでしまった場合や、使用者が意図しない設定変更を行った場合には、初心者では、設定情報を初期設定状態に戻せばよいことに気付かない場合があるという問題点がある。
【００１０】
また、上記特許文献２では、初心者モードであっても、各種設定データのうちの変更できない設定データ以外の設定データについて変更を行う場合に、上記のように設定情報が複雑に入り組んでしまった場合や、使用者が意図しない設定変更を行った場合には、初心者では、設定情報を初期設定状態に戻せばよいことに気付かない場合があるという問題点がある。
【００１１】
また、上記特許文献３では、映像出力方式初期化キーを使用者が操作することにより、映像出力方式のみを初期状態に切り替えることが可能であるが、上記のように設定情報が複雑に入り組んでしまった場合や、使用者が意図しない設定変更を行った場合には、初心者では、設定情報を初期設定状態に戻せばよいことに気付かない場合があるという問題点がある。
【００１２】
この発明は、上記のような課題を解決するためになされたものであり、この発明の１つの目的は、使用者が初心者の場合にも、設定情報を所定の設定状態に戻すことを使用者に気付かせることが可能な表示装置を提供することである。
【課題を解決するための手段および発明の効果】
【００１３】
この発明の一の局面による表示装置は、表示部と、放送局から発信される放送信号を受信する受信部と、受信部が受信した放送信号に対応する映像、および、少なくとも表示部における表示に関する設定情報を設定するための設定画面を表示部に表示するように表示部を制御する制御部と、表示部に表示される設定画面の遷移履歴を記憶する記憶部とを備え、制御部は、設定画面の遷移履歴に基づいて、設定情報を予め設定された所定の設定状態に戻すことを使用者に促す通知画面を表示部に表示するように制御するように構成されている。
【００１４】
この一の局面による表示装置では、上記のように、設定画面の遷移履歴に基づいて、設定情報を予め設定された所定の設定状態に戻すことを使用者に促す通知画面を前記表示部に表示することによって、使用者が初心者の場合であって、不本意な設定を行った場合にも、その設定の変更および設定を行うための設定画面の表示に伴って遷移する設定画面の遷移履歴に基づいて、設定情報を所定の設定状態に戻すことを使用者に自動的に促すことができる。これにより、使用者が初心者の場合にも、設定情報を所定の設定状態に戻すことを使用者に気付かせることができる。
【００１５】
上記一の局面による表示装置において、好ましくは、設定情報の変更指示を使用者から受け付ける設定変更受付手段をさらに備え、記憶部は、設定変更受付手段により受け付けた設定情報の変更履歴を記憶するように構成されており、制御部は、設定情報の変更履歴に基づいて、通知画面を表示部に表示するように制御するように構成されている。このように構成すれば、使用者が初心者の場合であって、不本意な設定を行った場合にも、その設定の変更履歴に基づいて、設定情報を所定の設定状態に戻すことを使用者に自動的に促すことができる。
【００１６】
上記設定変更受付手段を備える構成において、好ましくは、記憶部は、使用者による設定情報の変更の回数を記憶するように構成されており、制御部は、設定情報の変更の回数が所定の第１閾値を超えた場合に、通知画面を表示部に表示するように制御するように構成されている。このように構成すれば、設定の変更が過度に行われたか否かを設定情報の変更の回数により容易に判断することができるので、その判断に基づいて、通知画面を表示部に表示することができる。
【００１７】
上記設定変更受付手段を備える構成において、好ましくは、記憶部は、使用者による設定情報の所定の時間当たりの変更の頻度を記憶するように構成されており、制御部は、設定情報の変更の頻度が所定の第２閾値を超えた場合に、通知画面を表示部に表示するように制御するように構成されている。このように構成すれば、設定の変更が過度に行われたか否かを設定情報の変更の頻度により容易に判断することができるので、その判断に基づいて、通知画面を表示部に表示することができる。
【００１８】
上記一の局面による表示装置において、好ましくは、通知画面は、使用者による設定情報の所定の設定状態への変更の指示を受け付ける変更ボタンを含み、使用者が変更ボタンを選択した場合に、制御部は、設定情報を所定の設定状態に変更するように構成されている。このように構成すれば、使用者は、通知画面を見た後、所定の設定状態に変更するための画面を表示させるなどの操作を改めて行うことなく、通知画面の変更ボタンを選択するだけで設定情報を所定の設定状態に変更することができる。これにより、使用者が初心者の場合であっても、容易に設定情報を所定の設定状態に変更することができる。
【００１９】
上記一の局面による表示装置において、好ましくは、所定の設定状態は、初期設定状態を含む。このように構成すれば、使用者が設定情報の変更を過度に行った場合に、最も標準的な使用態様に対応して設定されている初期設定状態に容易に戻すことができる。
【発明を実施するための最良の形態】
【００２０】
以下、本発明を具体化した実施形態を図面に基づいて説明する。
【００２１】
（第１実施形態）
図１は、本発明の第１実施形態によるテレビジョンを示すブロック図である。まず、図１を参照して、第１実施形態によるテレビジョン１の構成を説明する。なお、第１実施形態では、表示装置の一例であるテレビジョンに本発明を適用した例を説明する。
【００２２】
図１に示すように、テレビジョン１は、放送局から発信される放送信号を受信するアンテナ（図示せず）を含むチューナーユニット２と、パーソナルコンピュータやＤＶＤプレーヤなどの外部機器と接続される複数の端子３ａを含む外部入力基板３と、ＬＣＤ（Ｌｉｑｕｉｄ  Ｃｒｙｓｔａｌ  Ｄｉｓｐｌａｙ）からなる表示部４と、チューナーユニット２および外部入力基板３から入力される複数の信号から特定の信号を選択して表示部４に出力するＡＶスイッチ５と、テレビジョン１の各部を制御する制御部（ＣＰＵ）６とを備えている。また、テレビジョン１は、テレビジョン１のボリューム、チャンネルなどの変更、および、設定の変更などを行うための複数のボタン７ａを有する入力部７を備えている。また、入力部７は、リモコン２０からの信号を受信する受信部７ｂを含んでいる。このリモコン２０によっても、上記ボリュームの変更などの操作を行うことが可能である。この入力部７またはリモコン２０による信号は、制御部６に入力される。制御部６は、その信号に基づいて、所定の処理を行うようにテレビジョン１の各部を制御する。なお、チューナーユニット２は、本発明の「受信部」の一例である。
【００２３】
チューナーユニット２は、アンテナ（図示せず）により受信した放送信号のうち、ユーザが指定したチャンネルに対応する放送信号の検波および復調を行うとともに、その結果得たデータを制御部６を介してＡＶスイッチ５に出力するように構成されている。
【００２４】
表示部４には、ＡＶスイッチ５から入力された信号に対応する映像が表示される。また、表示部４には、入力部７またはリモコン２０においてユーザが所定の操作を行うことにより、テレビジョン１の設定情報の確認および変更を行うための画面が表示されるように構成されている。ユーザは、この画面を参照しながら入力部７またはリモコン２０を操作することにより、各種設定の変更などを行うことが可能である。設定情報の確認および変更を行うための画面の構成および設定情報の変更の動作については、後に詳細に説明する。
【００２５】
また、制御部６は、ＥＥＰＲＯＭ８に格納された各種設定情報、および、ＲＯＭ９に格納されたプログラムに従ってテレビジョン１の制御を行うように構成されている。各種設定情報には、たとえば、表示部４における表示に関する設定などが含まれる。具体的には、視聴制限に関する設定、キャプション（字幕）の設定、および、言語の設定などである。これらの設定情報は、工場出荷時においては、テレビジョン１の標準的な使用態様に対応する設定状態（初期設定状態）に設定されている。また、ＥＥＰＲＯＭ８は、データの書込および消去が可能であり、入力部７などによりユーザが設定情報を変更する毎に、変更後の設定情報がＥＥＰＲＯＭ８に書き込まれる。なお、ＥＥＰＲＯＭ８は、本発明の「記憶部」の一例である。
【００２６】
また、第１実施形態では、ＥＥＰＲＯＭ８は、ユーザによる設定情報の変更履歴をも記憶するように構成されている。具体的には、初期設定状態（工場出荷設定）に対して設定情報の変更を行った回数、および、設定情報の所定の時間（たとえば、１０分間）当たりの変更の頻度などを記憶するように構成されている。また、制御部６は、上記変更履歴に基づいて、設定の変更が過度に行われていると判断した場合には、ユーザに設定情報を初期設定状態に戻すように促す画面を表示部４に表示するように構成されている。具体的には、ＲＯＭ９に所定の閾値が記憶されており、設定情報の変更の回数または頻度が閾値を超えた場合に、制御部６は、設定の変更が過度に行われていると判断するように構成されている。また、ＳＤＲＡＭ１０は、制御部６によるデータの処理などの演算が行われる際に、データが一時記憶されるメモリである。
【００２７】
図２および図３は、図１に示したテレビジョンの表示部に表示される設定変更画面の一例としてのＶ−ＣＨＩＰ設定画面である。次に、図２および図３を参照して、Ｖ−ＣＨＩＰ設定画面３０の構成を説明する。
【００２８】
図２に示すように、このＶ−ＣＨＩＰ設定画面３０は、入力部７またはリモコン２０（以下、設定指示手段）によりユーザが所定の操作を行うことにより表示される設定メインメニュー３１の「ＤＥＴＡＩＬ」を選択することにより表示されるサブメニュー（図示せず）において、「Ｖ−ＣＨＩＰ」を選択することにより、表示部４に表示される。Ｖ−ＣＨＩＰ設定画面３０においては、視聴制限に関する設定を行うことが可能である。たとえば、図２において、項目「Ｘ：１７歳未満は視聴してはいけない、または、ポルノ映画」がＯＮ（〇マーク）であるので、１７歳未満は視聴してはいけないとされる番組、または、ポルノ映画に該当する番組は表示部４に表示されないように設定されている。また、図２においては、項目「ＮＣ１７：１７歳未満は視聴してはいけない」、および、項目「Ｒ：１７歳未満には不適切な内容がある。視聴するには、親か大人（１７歳以上）の同伴が必要である」がＯＮ（〇マーク）になっている。また、図２においては、項目「ＰＧ−１３：１３歳未満の子供には不適切な内容がある。視聴するには、親の同伴が必要である」の項目がＯＦＦ（ブランク）であるので、１３歳未満には不適切な内容があり、視聴するには、親か大人（１７歳以上）の同伴が必要であるとされる番組は視聴することが可能であるように設定されている。図２に示した項目の他に、項目「ＰＧ：１３歳未満の子供には不適切な内容があり、視聴するには、親の許可が必要である」や、項目「Ｇ：全年齢（０歳〜１７歳）の子供が視聴不可」などの項目がある。
【００２９】
また、設定メインメニュー３１の「ＤＥＴＡＩＬ」には、「Ｖ−ＣＨＩＰ」以外にも、種々の項目を設定することが可能である。また、設定メインメニュー３１の「ＳＥＴＵＰ」および「ＬＡＮＧ」においても、種々の項目を設定することが可能である。
【００３０】
ユーザは、これらの項目を設定指示手段により切り替えることにより、設定の変更を行うことが可能であり、変更された設定情報は、ＥＥＰＲＯＭ８に記憶される。また、ＥＥＰＲＯＭ８には、Ｖ−ＣＨＩＰ設定画面３０などの設定画面において設定の変更が行われた場合に、工場出荷設定に対する設定情報の変更の回数、および、所定の時間毎の設定情報の変更の頻度が記憶されるように構成されている。
【００３１】
また、第１実施形態では、図３に示すように、工場出荷設定に対する設定情報の変更の回数、または、所定の時間毎の設定情報の変更の頻度が予めＲＯＭ９に記憶された閾値を超えた場合に、制御部は、設定情報の変更が過度に行われていると判断するとともに、設定情報を工場出荷設定状態に戻すようにユーザに促す注意画面４０を表示部４に表示するように構成されている。この注意画面４０は、設定情報の初期化を促す文章を含むとともに、ユーザが設定指示手段により選択可能な「ＯＫ」ボタン４１、および、「ＮＯ」ボタン４２を含んでいる。「ＯＫ」ボタン４１が選択された場合には、制御部６は、現在の設定状態を、ＲＯＭ９に記憶されている工場出荷設定状態（初期設定状態）に書き換えるように構成されている。また、「ＮＯ」ボタン４２が選択された場合には、制御部６は、現在の設定状態を維持するように構成されている。また、注意画面４０が表示された後、「ＯＫ」ボタン４１、または、「ＮＯ」ボタン４２が選択された場合には、ＥＥＰＲＯＭ８に記憶されている設定情報の変更の回数、および、所定の時間毎の設定情報の変更の頻度がリセットされるように構成されている。なお、注意画面４０および「ＯＫ」ボタン４１は、それぞれ、本発明の「通知画面」および「変更ボタン」の一例である。
【００３２】
図４は、本発明の第１実施形態によるテレビジョンの設定情報の初期化をユーザに促す動作を説明するためのフローチャートである。次に、図２〜図４を参照して、第１実施形態によるテレビジョン１の設定情報の初期化ユーザに促す動作を説明する。
【００３３】
まず、ユーザにより、設定画面（Ｖ−ＣＨＩＰ設定画面３０など）において、設定情報の変更（たとえば、図２において、項目「ＰＧ−１３」の設定をＯＦＦからＯＮに変更する）が行われる。この時、制御部６においては、図４のステップＳ１において、設定の変更が行われたか否かが判断される。設定の変更が行われていない場合には、この判断が繰り返される。また、設定の変更が行われた場合には、ステップＳ２において、工場出荷設定に対する設定の変更の回数、および、一定時間毎の設定の変更の頻度がＥＥＰＲＯＭ８に記憶される。
【００３４】
次に、制御部６においては、ステップＳ３において、ＥＥＰＲＯＭ８に記憶された変更の頻度がＲＯＭ９に記憶された閾値以上か否かが判断される。変更の頻度が閾値以上である場合には、ステップＳ５に進む。また、ＥＥＰＲＯＭ８に記憶された変更の頻度が閾値よりも小さい場合には、ステップＳ４において、ＥＥＰＲＯＭ８に記憶された変更の回数がＲＯＭ９に記憶された閾値以上であるか否かが判断される。ＥＥＰＲＯＭ８に記憶された変更の回数が閾値よりも小さい場合には、処理が最初に戻る。また、変更の回数が閾値以上である場合には、ステップＳ５に進む。
【００３５】
そして、制御部６は、ステップＳ５において、設定情報の初期化を促す文章が記載された注意画面４０（図３参照）を表示部４に表示する。また、ユーザは、注意画面４０を見ることにより、設定情報の初期化を行うか否かを判断する。現在の設定状態がユーザの納得のいくものである場合（工場出荷設定に戻す必要がないと判断した場合）には、ユーザは、注意画面４０の「ＮＯ」ボタン４２を選択する。また、現在の設定状態が複雑に入り組んでいて、ユーザの納得のいかないものである場合（工場出荷設定に戻す必要があると判断した場合、もしくは、工場出荷設定に戻した方がよいと判断した場合）には、ユーザは、注意画面４０の「ＯＫ」ボタン４１を選択する。
【００３６】
また、制御部６においては、ステップＳ６において、ユーザにより「ＯＫ」ボタン４１が選択されたか否かが判断される。「ＯＫ」ボタン４１が選択されない場合（「ＮＯ」ボタン４２が選択された場合）には、ステップＳ８に進む。また、「ＯＫ」ボタン４１が選択された場合には、ステップＳ７において、設定状態が工場出荷設定状態に変更されることに設定状態の初期化が行われる。この後、ステップＳ８において、ＥＥＰＲＯＭ８に記憶されている設定の変更の回数および頻度がリセットされる。この後、処理が最初に戻る。
【００３７】
第１実施形態では、このようにして、設定情報の初期化がテレビジョン１によりユーザに自動的に促される。
【００３８】
第１実施形態では、上記のように、設定情報の変更履歴に基づいて、注意画面４０を表示部４に表示することによって、使用者が初心者の場合に、不本意な設定を行った場合にも、その設定の変更履歴に基づいて、設定情報を工場出荷設定状態に戻すことを使用者に自動的に促すことができる。
【００３９】
また、第１実施形態では、上記のように、設定情報の変更の回数が所定の閾値を超えた場合に、注意画面４０を表示部４に表示することによって、設定の変更が過度に行われたか否かを設定情報の変更の回数により容易に判断することができるので、その判断に基づいて、注意画面４０を表示部４に表示することができる。
【００４０】
また、第１実施形態では、上記のように、設定情報の変更の頻度が所定の閾値を超えた場合に、注意画面４０を表示部４に表示することによって、設定の変更が過度に行われたか否かを設定情報の変更の頻度により容易に判断することができるので、その判断に基づいて、注意画面４０を表示部４に表示することができる。
【００４１】
また、第１実施形態では、上記のように、注意画面４０においてユーザが「ＯＫ」ボタン４１を選択した場合に、設定情報を工場出荷設定状態に変更することによって、使用者は、注意画面４０を見た後、工場出荷設定状態に変更するための画面を表示させるなどの操作を改めて行うことなく、注意画面４０の「ＯＫ」ボタン４１を選択するだけで設定情報を所定の設定状態に変更することができる。これにより、使用者が初心者の場合であっても、容易に設定情報を工場出荷設定状態に変更することができる。
【００４２】
（第２実施形態）
図５は、本発明の第２実施形態によるテレビジョンの設定情報の初期化をユーザに促す動作を説明するためのフローチャートである。第２実施形態では、上記第１実施形態と異なり、設定の変更履歴に加えて設定画面の遷移履歴にも基づいて、設定情報の初期化をユーザに促すように構成した例を説明する。まず、図５を参照して、第２実施形態によるテレビジョンの設定情報の初期化をユーザに促す動作を説明する。なお、第２実施形態によるテレビジョンの構造は、ＥＥＰＲＯＭ８に設定画面の遷移履歴が記憶されるように構成されている点、および、ＲＯＭ９に遷移履歴の閾値が記憶されている点以外は上記第１実施形態によるテレビジョン１の構造と同様であるので、説明を省略する。
【００４３】
第２実施形態では、まず、図５のステップＳ１１において、設定画面（Ｖ−ＣＨＩＰ設定画面３０など）が表示されたか否かが判断される。設定画面が表示されない場合には、この判断が繰り返される。また、設定画面が表示された場合には、ステップＳ１２において、一定時間内に設定画面が表示される頻度（遷移履歴）がＥＥＰＲＯＭ８に記憶される。そして、ステップＳ１３において、設定画面が表示される頻度がＲＯＭ９に記憶されている閾値以上であるか否かが判断される。設定画面が表示される頻度がＲＯＭ９に記憶されている閾値よりも小さい場合には、ステップＳ１に進むとともに、上記第１実施形態と同様の処理が行われる。また、設定画面が表示される頻度がＲＯＭ９に記憶されている閾値以上である場合には、ステップＳ５において、注意画面４０が表示される。そして、ステップＳ６およびステップＳ７の処理を経た後、ステップＳ８において、ＥＥＰＲＯＭ８に記憶されている変更履歴および遷移履歴がリセットされる。この後、処理が最初に戻る。
【００４４】
第２実施形態では、このようにして、設定情報の初期化がテレビジョン１により自動的にユーザに促される。
【００４５】
第２実施形態では、上記のように、設定画面が表示される頻度をＥＥＰＲＯＭ８に記憶させるとともに、その頻度がＲＯＭ９に記憶された閾値以上である場合に、注意画面４０を表示することによって、テレビジョン１の設定に対してユーザが迷っていることなどを検出して注意画面４０を表示することができるので、初心者のユーザがテレビジョン１を使用する場合などにユーザの利便性を高めることができる。
【００４６】
第２実施形態の他の効果は、上記第１実施形態と同様である。
【００４７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４８】
たとえば、上記実施形態では、工場出荷設定状態（初期設定状態）に戻すように構成した例を示したが、本発明はこれに限らず、ユーザが予め登録した設定状態に戻すように構成してもよい。
【００４９】
また、上記実施形態では、注意画面４０を表示した後、設定情報の変更履歴および画面の遷移履歴をリセットした例を示したが、本発明はこれに限らず、設定情報の変更履歴および画面の遷移履歴をリセットしないように構成してもよい。
【００５０】
また、上記実施形態では、表示部４がＬＣＤからなる例を示したが、本発明はこれに限らず、ＰＤＰ（Ｐｌａｓｍａ  Ｄｉｓｐｌａｙ  Ｐａｎａｌ）またはＣＲＴ（ｃａｔｈｏｄｅ  ｒａｙ  ｔｕｂｅ）などから構成してもよい。
【図面の簡単な説明】
【００５１】
【図１】本発明の第１実施形態によるテレビジョンの構成を示すブロック図である。
【図２】図１に示したテレビジョンの設定画面の一例としてのＶ−ＣＨＩＰ設定画面である。
【図３】工場出荷設定に戻すように促す注意画面である。
【図４】本発明の第１実施形態によるテレビジョンの設定情報の初期化をユーザに促す動作を説明するためのフローチャートである。
【図５】本発明の第２実施形態によるテレビジョンの設定情報の初期化をユーザに促す動作を説明するためのフローチャートである。
【符号の説明】
【００５２】
１  テレビジョン（表示装置）
２  チューナーユニット（受信部）
４  表示部
６  制御部
８  ＥＥＰＲＯＭ（記憶部）
３０  Ｖ−ＣＨＩＰ設定画面（設定画面）
４０  通知画面（注意画面）
４１  「ＯＫ」ボタン（変更ボタン）
【図１】
2008288677.tif 000003
【図２】
2008288677.tif 000004
【図３】
2008288677.tif 000005
【図４】
2008288677.tif 000006
【図５】
2008288677.tif 000007